(57)【特許請求の範囲】
【請求項１】
受光面が上下方向を向いた状態で４辺が揃うように積層した複数の太陽電池パネルを支持するパレットと、
前記パレット上に載置され、互いに対向する第１壁面板材及び第２壁面板材と、互いに対向する第３壁面板材及び第４壁面板材とを有する四角筒状の壁と、
前記壁の上に載置され、前記壁の上側開口部を覆う上面板材と、
前記壁の周囲に巻き付いて締め付ける第１締め付けバンドと、
前記第１壁面板材と、前記第２壁面板材と、前記上面板材と、前記パレットの底面側に巻き付いて締め付ける第２締め付けバンドと、
前記第３壁面板材と、前記第４壁面板材と、前記上面板材と、前記パレットの底面側に巻き付いて締め付ける第３締め付けバンドと
を具備し、
前記第１壁面板材及び前記第２壁面板材は、前記第３壁面板材及び前記第４壁面板材の間に挟み込まれ、
前記第１壁面板材及び前記第２壁面板材の幅は、前記第３壁面板材及び前記第４壁面板材の幅より広く、
前記複数の太陽電池パネルのうち最上段の太陽電池パネルと前記上面板材との間には空間が設けられている太陽電池パネルの梱包箱。
【請求項２】
前記パレットは、前記パレットの上面に仮想される長方形の４辺の各々に沿って延びる４本の角柱部分又は板材部分を有する矩形枠形状の台を備え、
前記複数の太陽電池パネルのうち最下段の太陽電池パネルと前記台との間には空間が設けられている請求項１に記載の太陽電池パネルの梱包箱。
【請求項３】
前記第１壁面板材、前記第２壁面板材、前記第３壁面板材、及び前記第４壁面板材の少なくとも一つが被位置決め壁面板材に該当し、
前記パレットは、前記被位置決め壁面板材の両側に配置され、互いに反対方向を向く位置決め面を備える請求項１又は２に記載の太陽電池パネルの梱包箱。
【請求項４】
前記位置決め面は、前記被位置決め壁面板材の厚さ方向の両側に配置される第１位置決め面と、前記被位置決め壁面板材の幅方向の両側に配置される第２位置決め面とを含む請求項３に記載の太陽電池パネルの梱包箱。
【請求項５】
前記パレットは、支持具位置決め面を有する支持具を備え、
前記位置決め面は、前記支持具位置決め面を含む請求項３又は４に記載の太陽電池パネルの梱包箱。
【請求項６】
前記第１壁面板材、前記第２壁面板材、前記第３壁面板材、及び前記第４壁面板材の少なくとも一つは合板であり、
該合板と前記太陽電池パネルとの間には段ボール板を備える請求項１乃至５のいずれか１項に記載の太陽電池パネルの梱包箱。
【請求項７】
前記上面板材及び前記壁を覆うカバーと、
を具備し、
前記カバーは、前記カバーの表面から前記カバーの内側へ陥入する袋状部分を備え、
前記袋状部分には通気穴が設けられている請求項１乃至６のいずれか１項に記載の太陽電池パネルの梱包箱。
【請求項８】
前記袋状部分は、前記上面板材の上に配置された第１袋状部分及び第２袋状部分を含み、
前記第１袋状部分の第１陥入口は、前記上面板材と前記第３壁面板材とが形成する第１稜線に沿って配置され、
前記第２袋状部分の第２陥入口は、前記上面板材と前記第４壁面板材とが形成する第２稜線に沿って配置される請求項７に記載の太陽電池パネルの梱包箱。
【請求項９】
パレットを作業現場に載置するステップと、
複数の太陽電池パネルを受光面が上下方向を向いた状態で４辺が揃うように前記パレット上に積層するステップと、
第１壁面板材、第２壁面板材、第３壁面板材、及び第４壁面板材を前記パレット上に載置して四角筒状の壁を形成するステップと、
前記壁の周囲に第１締め付けバンドを巻きつけて締め付けるステップと、
前記壁の上側開口部を覆うように前記壁の上に上面板材を載置するステップと、
前記第１壁面板材と、前記第２壁面板材と、前記上面板材と、前記パレットの底面側に第２締め付けバンドを巻き付けて締め付け、前記第３壁面板材と、前記第４壁面板材と、前記上面板材と、前記パレットの底面側に第３締め付けバンドを巻き付けて締め付けるステップと
を具備し、
前記壁を形成するステップにおいては、前記第１壁面板材及び前記第２壁面板材が互いに対向するとともに、前記第３壁面板材及び前記第４壁面板材が互いに対向し、
前記第３壁面板材及び前記第４壁面板材が前記第１壁面板材及び前記第２壁面板材を間に挟むようにして前記第１壁面板材、前記第２壁面板材、前記第３壁面板材、及び前記第４壁面板材を載置し、
前記第１壁面板材及び前記第２壁面板材の幅は、前記第３壁面板材及び前記第４壁面板材の幅よりも広く、
前記積層するステップにおいて積層した前記複数の太陽電池パネルの高さは前記壁の高さよりも低くする太陽電池パネルの梱包方法。
【請求項１０】
前記パレットは、前記パレットの上面に仮想される長方形の４辺の各々に沿って延びる４本の角柱部分又は板材部分を有する矩形枠形状の台を備え、
前記積層するステップにおいては、前記太陽電池パネルを前記台の上に積層し、
前記複数の太陽電池パネルのうち最下段の太陽電池パネルと前記台との間には空間が設けられている請求項９に記載の太陽電池パネルの梱包方法。
【請求項１１】
前記第１壁面板材、前記第２壁面板材、前記第３壁面板材、及び前記第４壁面板材の少なくとも一つが被位置決め壁面板材に該当し、
前記壁を形成するステップにおいては、前記被位置決め壁面板材を、前記パレットに設けられ、互いに反対方向を向く位置決め面の間に設置する請求項９又は１０に記載の太陽電池パネルの梱包方法。
【請求項１２】
パレットを作業現場に載置するステップと、
複数の太陽電池パネルを受光面が上下方向を向いた状態で４辺が揃うように前記パレット上に積層するステップと、
第１壁面板材、第２壁面板材、第３壁面板材、及び第４壁面板材を前記パレット上に載置して四角筒状の壁を形成するステップと、
前記壁の周囲に第１締め付けバンドを巻きつけて締め付けるステップと、
前記壁の上側開口部を覆うように前記壁の上に上面板材を載置するステップと、
前記第１壁面板材と、前記第２壁面板材と、前記上面板材と、前記パレットの底面側に第２締め付けバンドを巻き付けて締め付け、前記第３壁面板材と、前記第４壁面板材と、前記上面板材と、前記パレットの底面側に第３締め付けバンドを巻き付けて締め付けるステップと、
を具備し、
前記パレット上に積層するステップは、
前記第１壁面板材よりも幅の狭い第１仮設板材を前記第１壁面板材が載置されるべき前記パレット上の位置に載置し、前記第２壁面板材よりも幅の狭い第２仮設板材を前記第２壁面板材が載置されるべき前記パレット上の位置に載置する仮設板材載置ステップと、
前記第１仮設板材及び前記第２仮設板材を前記パレット上から取り除くステップと
を含み、
前記壁を形成するステップは、
前記第４壁面板材を前記パレット上に載置する第４壁面板材載置ステップと、
前記第１壁面板材、前記第２壁面板材、及び前記第３壁面板材を前記パレット上に載置する第１乃至第３板材載置ステップと、を含み、
前記第４壁面板材載置ステップ及び前記仮設板材載置ステップの後に前記積層するステップを行い、前記積層するステップの後に前記取り除くステップを行い、
前記取り除くステップの後に前記第１乃至第３板材載置ステップを行う太陽電池パネルの梱包方法。
【請求項１３】
前記上面板材及び前記壁を覆うようにカバーを被せるステップと、
前記カバーの表面から前記カバーの内側に陥入する袋状部分に通気穴を開口するステップと
を具備する請求項９乃至１２のいずれか１項に記載の太陽電池パネルの梱包方法。
【請求項１４】
前記袋状部分は、第１袋状部分及び第２袋状部分を含み、
前記被せるステップにおいては、前記第１袋状部分及び前記第２袋状部分が前記上面板材の上に配置され、前記第１袋状部分の第１陥入口が前記上面板材と前記第３壁面板材とが形成する第１稜線に沿って配置され、前記第２袋状部分の第２陥入口が前記上面板材と前記第４壁面板材とが形成する第２稜線に沿って配置されるように前記カバーを被せる請求項１３に記載の太陽電池パネルの梱包方法。
【請求項１５】
前記第１陥入口及び前記第２陥入口の各々の両端部分を除く中央部分を閉じるステップを具備する請求項１４に記載の太陽電池パネルの梱包方法。
【発明の詳細な説明】
【技術分野】
【０００１】
本発明は太陽電池に関する。
【背景技術】
【０００２】
環境への関心が高まるとともに、太陽光発電をはじめとする自然エネルギー利用が本格的に推進されている。光エネルギーを電気エネルギーに変換する太陽電池セルの集合である太陽電池モジュール（太陽電池パネル本体）に枠構造や端子箱を取付けた太陽電池パネルが大量に生産され、地球規模で流通している。
【０００３】
太陽電池パネルは、荷ずれ又は荷崩れにより毀損されやすく、湿分により劣化するなどの特質を有するため、その輸送や保管のためには解決すべき課題が多い。特に、アモルファス型太陽電池パネルにおいては、透光性基板の寸法が幅１．１ｍ×長さ１．４ｍの大型パネルが製造されており、輸送中又は保管中の荷ずれ又は荷崩れの防止は重要である。
【０００４】
また、太陽光発電の普及のためには、太陽電池パネルの製造コスト及び輸送コストを低減する必要がある。梱包資材を削減することは、輸送コストの低減と地球環境の保護に貢献する。
【０００５】
太陽電池パネルをはじめとするパネル製品の輸送に関する従来技術を以下に紹介する。
【０００６】
特許文献１は、パネル１枚ごとに梱包し、それをパレット上に水平に積み重ね、バンド等で固縛してトラック又は船で輸送する方法を開示している。この方法は、梱包に多くの梱包材料費と人権費がかかり、輸送中の振動又は揺れ等による荷ずれ・荷崩れが発生しやすいために積み重ね段数が制限され、輸送コストの増加を招きやすいとされている。
【０００７】
また、特許文献１は、段ボールで箱を作り、その天板と底板にガイドを設け、そのガイドの間に太陽電池パネルを立てた状態で挿入する方法を開示している。この方法においては、太陽電池を挿入する際に作業者が手を入れる空間が必要であるため、容積当りの太陽電池パネルの収容枚数が制限される。
【０００８】
特許文献２は、分解組み立て可能なパネル搬送ボックスを開示している。このパネル搬送ボックスの内側には、パネルを立てた状態で搬送するための溝が形成されている。
【０００９】
特許文献３は、太陽電池素子の梱包方法を開示している。この方法においては、複数の太陽電池素子を立てた状態で重ね合わせて直方体形状の素子集合体を形成し、それに衝撃緩和シートをコの字状に巻いて収納容器に収納する。
【００１０】
特許文献２及び特許文献３に開示された従来技術においては、パネルを立てた状態で容器の上方から収納しているため、これらの技術を大型のパネルに適用することは困難であると考えられる。
【００１１】
特許文献４は、太陽電池モジュールの電気出力線のコネクタに複数の嵌合溝を設け、この嵌合溝を積層した太陽電池モジュールの端部に嵌合させて荷崩れ等を防止することが可能な太陽電池モジュールの梱包方法を開示している。この方法においては、コネクタと太陽電池モジュールとが受光面に沿う方向に嵌合するため、積層した太陽電池モジュールの受光面に沿う方向のずれに対しては比較的弱いと考えられる。
【００１２】
特許文献５は、太陽電池パネルの周縁部に枠を設け、複数の太陽電池パネルを重ねたときに枠どうしを係合させることで太陽電池モジュールの積み重ねを簡単にする方法を開示している。
【特許文献１】特開２００５−１５３８８８号公報
【特許文献２】特開２００３−２９２０８７号公報
【特許文献３】特開２００５−２４３９７１号公報
【特許文献４】特開２００２−２６３４２号公報
【特許文献５】特開２００４−２０７６６７号公報
【発明の開示】
【発明が解決しようとする課題】
【００１３】
本発明の目的は、容積当りの太陽電池パネルの収容枚数が増加し、荷ずれ又は荷崩れが防がれる太陽電池パネルの梱包箱、及び太陽電池パネルの梱包方法を提供することである。
【課題を解決するための手段】
【００１４】
以下に、（発明を実施するための最良の形態）で使用される番号を用いて、課題を解決するための手段を説明する。これらの番号は、（特許請求の範囲）の記載と（発明を実施するための最良の形態）との対応関係を明らかにするために付加されたものである。ただし、それらの番号を、（特許請求の範囲）に記載されている発明の技術的範囲の解釈に用いてはならない。
【００１５】
本発明による太陽電池パネルの梱包箱は、受光面（８１ａ）が上下方向を向いた状態で４辺が揃うように積層した複数の太陽電池パネル（８）を支持するパレット（１）と、前記パレット上に載置され、互いに対向する第１壁面板材（２１）及び第２壁面板材（２２）と、互いに対向する第３壁面板材（２３）及び第４壁面板材（２４）とを有する四角筒状の壁（２）と、前記壁の上に載置され、前記壁の上側開口部を覆う上面板材（３）と、前記壁の周囲に巻き付いて前記壁を締め付ける第１締め付けバンド（５１）と、前記第１壁面板材と、前記第２壁面板材と、前記上面板材と、前記パレットの底面（１ｂ）側に巻き付いて前記第１壁面板材、前記第２壁面板材、前記上面板材、及び前記パレットを締め付ける第２締め付けバンド（５２）と、前記第３壁面板材と、前記第４壁面板材と、前記上面板材と、前記パレットの底面側に巻き付いて前記第３壁面板材、前記第４壁面板材、前記上面板材、及び前記パレットを締め付ける第３締め付けバンド（５３）とを具備している。
【００１６】
したがって、本発明による太陽電池パネルの梱包箱においては太陽電池パネルを水平に積み重ねているため、無駄な空間が無くなって単位容積当りに収容可能な太陽電池パネルの枚数が増加する。また、積層した太陽電池パネルの周囲４面を４枚の板材で囲むことにより、太陽電池パネルの横ずれが効果的に防がれる。
【００１７】
本発明による太陽電池パネルの梱包箱においては、前記第１壁面板材及び前記第２壁面板材は、前記第３壁面板材と前記第４壁面板材の間に挟まれている。したがって、第１締め付けバンド、第２締め付けバンドを締め付けることにより、第１壁面板材及び第２壁面板材が太陽電池パネルを両側から保持する。
【００１８】
本発明による太陽電池パネルの梱包箱においては、前記第１壁面板材及び前記第２壁面板材の幅は、前記第３壁面板材及び前記第４壁面板材の幅よりも広い。
【００１９】
したがって、本発明による太陽電池パネルの梱包箱は、太陽電池パネルをその短辺方向の両側から保持するために好適である。短辺方向の両側から保持する場合は、長辺方向の両側から保持する場合に比べて太陽電池パネルの撓み変形が防がれる。
【００２０】
本発明による太陽電池パネルの梱包箱においては、前記複数の太陽電池パネルのうち最上段の太陽電池パネルと前記上面板材との間には空間が設けられている。
【００２１】
本発明による太陽電池パネルの梱包箱においては、前記パレットは、矩形枠形状の台（１６）を備えている。
【００２２】
本発明による太陽電池パネルの梱包箱においては、前記パレットは、４本の角柱部分又は板材部分（１４、１５）を有する台（１６）を備え、前記４本の角柱部分又は板材部分の各々は、前記パレットの上面（１ａ）に仮想される長方形の４辺の各々に沿って延びている。
【００２３】
本発明による太陽電池パネルの梱包箱においては、前記第１壁面板材、前記第２壁面板材、前記第３壁面板材、及び前記第４壁面板材の少なくとも一つが被位置決め壁面板材に該当し、前記パレットは、前記被位置決め壁面板材の両側に配置され、互いに反対方向を向く位置決め面（１７ａ、１７ｂ、１７ｃ、１２ｂ、１３ｂ、１４ｂ、１３ｃ、１５ｃ）を備えている。
【００２４】
本発明による太陽電池パネルの梱包箱においては、前記位置決め面は、前記被位置決め壁面板材の厚さ方向の両側に配置される第１位置決め面（１７ｂ、１７ｃ、１２ｂ、１３ｂ、１４ｂ、１３ｃ、１５ｃ）を含んでいる。
【００２５】
本発明による太陽電池パネルの梱包箱においては、前記位置決め面は、前記被位置決め壁面板材の幅方向の両側に配置される第２位置決め面（１７ａ）を含んでいる。
【００２６】
本発明による太陽電池パネルの梱包箱においては、前記パレットは、支持具位置決め面（１７ａ、１７ｂ、１７ｃ）を有する支持具（１７）を備えている。前記位置決め面は、前記支持具位置決め面を含んでいる。
【００２７】
本発明による太陽電池パネルの梱包箱は、前記上面板材及び前記壁を覆うカバー（４）を具備している。ここで、前記カバーは、前記カバーの表面から前記カバーの内側へ陥入する袋状部分（４１、４２）を備えている。前記袋状部分には通気穴（４１ａ、４２ａ）が設けられている。
【００２８】
本発明による太陽電池パネルの梱包箱においては、前記袋状部分は、前記上面板材の上に配置された第１袋状部分（４１）及び第２袋状部分（４２）を含んでいる。前記第１袋状部分の第１陥入口（４１ｂ）は、前記上面板材と前記第３壁面板材とが形成する第１稜線（２５）に沿って配置されている。前記第２袋状部分の第２陥入口（４２ｂ）は、前記上面板材と前記第４壁面板材とが形成する第２稜線（２６）に沿って配置されている。
【００２９】
本発明に係る参考例による太陽電池パネルの梱包箱においては、前記第１陥入口及び前記第２陥入口は、両端部分を除く中央部分が粘着テープ（５７）で閉じられている。
【００３０】
本発明による太陽電池パネルの梱包方法は、パレット（１）を作業現場に載置するステップ（Ｓ１）と、複数の太陽電池パネル（８）を受光面（８１ａ）が上下方向を向いた状態で４辺が揃うように前記パレット上に積層するステップ（Ｓ５）と、第１壁面板材（２１）、第２壁面板材（２２）、第３壁面板材（２３）、及び第４壁面板材（２４）を前記パレット上に載置して四角筒状の壁（２）を形成するステップ（Ｓ２、Ｓ７）と、前記壁の周囲に第１締め付けバンド（５１）を巻きつけて締め付けるステップ（Ｓ８）と、前記壁の上側開口部を覆うように前記壁の上に上面板材（３）を載置するステップ（Ｓ９）と、前記第１壁面板材と、前記第２壁面板材と、前記上面板材と、前記パレットの底面（１ｂ）側に第２締め付けバンド（５２）を巻き付けて前記第１壁面板材、前記第２壁面板材、前記上面板材、及び前記パレットを締め付け、前記第３壁面板材と、前記第４壁面板材と、前記上面板材と、前記パレットの底面側に第３締め付けバンド（５３）を巻き付けて前記第３壁面板材、前記第４壁面板材、前記上面板材、及び前記パレットを締め付けるステップ（Ｓ１０）とを具備している。ここで、前記壁を形成するステップにおいては、前記第１壁面板材及び前記第２壁面板材が互いに対向し、前記第３壁面板材及び前記第４壁面板材が互いに対向するように前記第１壁面板材、前記第２壁面板材、前記第３壁面板材、及び前記第４壁面板材を載置する。
【００３１】
本発明による太陽電池パネルの梱包方法の前記壁を形成するステップにおいては、前記第３壁面板材及び前記第４壁面板材が前記第１壁面板材及び前記第２壁面板材を間に挟むように前記第１壁面板材、前記第２壁面板材、前記第３壁面板材、及び前記第４壁面板材を載置する
【００３２】
本発明による太陽電池パネルの梱包方法においては、前記第１壁面板材及び前記第２壁面板材の幅は、前記第３壁面板材及び前記第４壁面板材の幅よりも広い。
【００３３】
本発明による太陽電池パネルの梱包方法においては、前記積層するステップにおいて積層した前記複数の太陽電池パネルの高さは前記壁の高さよりも低い。
【００３４】
本発明による太陽電池パネルの梱包方法においては、前記パレットは、矩形枠形状の台（１６）を備えている。前記積層するステップにおいては、前記太陽電池パネルを前記台の上に積層する。
【００３５】
本発明による太陽電池パネルの梱包方法においては、前記パレットは、４本の角柱部分又は板材部分（１４、１５）を有する台を備えている。前記４本の角柱部分又は板材部分の各々は、前記パレットの上面（１ａ）に仮想される長方形の４辺の各々に沿って延びている。前記積層するステップにおいては、前記太陽電池パネルを前記台の上に積層する。
【００３６】
本発明による太陽電池パネルの梱包方法においては、前記第１壁面板材、前記第２壁面板材、前記第３壁面板材、及び前記第４壁面板材の少なくとも一つが被位置決め壁面板材に該当する。前記壁を形成するステップにおいては、前記被位置決め壁面板材を、前記パレットに設けられ、互いに反対方向を向く位置決め面（１７ａ、１７ｂ、１７ｃ、１２ｂ、１３ｂ、１４ｂ、１３ｃ、１５ｃ）の間に設置する。
【００３７】
本発明による太陽電池パネルの梱包方法は、パレット（１）を作業現場に載置するステップ（Ｓ１）と、複数の太陽電池パネル（８）を受光面（８１ａ）が上下方向を向いた状態で４辺が揃うように前記パレット上に積層するステップ（Ｓ５）と、第１壁面板材（２１）、第２壁面板材（２２）、第３壁面板材（２３）、及び第４壁面板材（２４）を前記パレット上に載置して四角筒状の壁（２）を形成するステップ（Ｓ２、Ｓ７）と、前記壁の周囲に第１締め付けバンド（５１）を巻きつけて締め付けるステップ（Ｓ８）と、前記壁の上側開口部を覆うように前記壁の上に上面板材（３）を載置するステップ（Ｓ９）と、前記第１壁面板材と、前記第２壁面板材と、前記上面板材と、前記パレットの底面（１ｂ）側に第２締め付けバンド（５２）を巻き付けて前記第１壁面板材、前記第２壁面板材、前記上面板材、及び前記パレットを締め付け、前記第３壁面板材と、前記第４壁面板材と、前記上面板材と、前記パレットの底面側に第３締め付けバンド（５３）を巻き付けて前記第３壁面板材、前記第４壁面板材、前記上面板材、及び前記パレットを締め付けるステップ（Ｓ１０）とを具備し、前記パレット（１）上に積層するステップ（Ｓ５）は、前記第１壁面板材よりも幅の狭い第１仮設板材（６１）を前記第１壁面板材が載置されるべき前記パレット上の位置に載置し、前記第２壁面板材よりも幅の狭い第２仮設板材（６２）を前記第２壁面板材が載置されるべき前記パレット上の位置に載置する仮設板材載置ステップ（Ｓ３）と、前記第１仮設板材及び前記第２仮設板材を前記パレット上から取り除くステップ（Ｓ６）とを具備している。ここで、前記壁を形成するステップは、前記第４壁面板材を前記パレット上に載置する第４壁面板材載置ステップ（Ｓ２）と、前記第１壁面板材、前記第２壁面板材、及び前記第３壁面板材を前記パレット上に載置する第１乃至第３板材載置ステップ（Ｓ７）とを含んでいる。そして、前記第４壁面板材載置ステップ及び前記仮設板材載置ステップの後に前記積層するステップを行う。前記積層するステップの後に前記取り除くステップを行う。前記取り除くステップの後に前記第１乃至第３板材載置ステップを行う。
【００３８】
本発明による太陽電池パネルの梱包方法は、前記上面板材及び前記壁を覆うようにカバー（４）を被せるステップ（Ｓ１４の１）と、前記カバーの表面から前記カバーの内側に陥入する袋状部分（４１、４２）に通気穴（４１ａ、４２ａ）を開口するステップ（Ｓ１４の２）とを具備している。
【００３９】
本発明による太陽電池パネルの梱包方法においては、前記袋状部分は、第１袋状部分（４１）及び第２袋状部分（４２）を含んでいる。前記被せるステップにおいては、前記第１袋状部分及び前記第２袋状部分が前記上面板材の上に配置され、前記第１袋状部分の第１陥入口（４１ｂ）が前記上面板材と前記第３壁面板材とが形成する第１稜線（２５）に沿って配置され、前記第２袋状部分の第２陥入口（４２ｂ）が前記上面板材と前記第４壁面板材とが形成する第２稜線（２６）に沿って配置されるように前記カバーを被せる。
【００４０】
本発明による太陽電池パネルの梱包方法は、前記第１陥入口及び前記第２陥入口の各々の両端部分を除く中央部分を粘着テープ（５７）で閉じるステップ（Ｓ１４の３）を具備している。
【発明の効果】
【００４１】
本発明によれば、容積当りの太陽電池パネルの収容枚数が増加し、荷ずれ又は荷崩れが防がれる太陽電池パネルの梱包箱、及び太陽電池パネルの梱包方法が提供される。
【発明を実施するための最良の形態】
【００４２】
添付図面を参照して、本発明による太陽電池パネルの梱包箱、及び太陽電池パネルの梱包方法を実施するための最良の形態を以下に説明する。
【００４３】
図１は、太陽電池パネルを示している。図１（ａ）は太陽電池パネルの表側について示し、図１（ｂ）は太陽電池パネルの裏側について示している。
【００４４】
太陽電池パネル８は、太陽電池パネル本体８１と、太陽電池パネル本体８１の周縁部に取り付けられた枠構造８２と、太陽電池パネル本体８１の裏面８１ｂに取り付けられた端子箱８３とを備えている。太陽電池パネル本体８１は、透光性基板上に透明電極層と、光電変換層と、裏面電極層と、バックシートとが順次形成されている。枠構造８２は、アルミニウム製のものが例示され、太陽電池パネル本体８１の周縁部を保護し、太陽電池パネル８の強度に寄与するとともに、太陽電池パネル８を発電のために設置する際に用いられる。端子箱８３は、太陽電池パネル本体８１が発電した電力を取り出すための端子を備えている。
【００４５】
ここで、太陽電池パネル本体８１の表面８１ａは発電のために光を受ける受光面であり、その反対側の裏面８１ｂは光電変換層等が形成されている面である。枠構造８２の表側面８２ａは、表面８１ａと同じ方向を向いている。枠構造８２の裏側面８２ｂは、裏面８１ｂと同じ方向を向いている。表側面８２ａと表面８１ａには、表側面８２ａの方が高くなるような段差が存在し、裏側面８２ｂと裏面８１ｂには、裏側面８２ｂの方が高くなるような段差が存在する。裏面８１ｂから測った裏側面８２ｂの高さは、裏面８１ｂから測った端子箱８３の高さより大きい。
【００４６】
短辺側側面８２ｃは太陽電池パネル８の短辺に沿って設けられている枠構造８２の部分の側面であり、長辺側側面８２ｄは太陽電池パネル８の長辺に沿って設けられている枠構造８２の部分の側面である。
【００４７】
太陽電池パネル本体８１に用いられる基板には、例えば、幅１．１ｍ×長さ１．４ｍ×板厚４ｍｍの寸法のガラス基板が用いられる。したがって、太陽電池パネル８は、大型の矩形形状をしており、その重量も大きい。
【００４８】
図２は、本発明の実施形態に係る太陽電池パネルの梱包箱及び太陽電池パネルの梱包方法において使用されるパレット１を示している。図２（ａ）はパレット１の上面図を示し、図２（ｂ）はパレット１の前面図を示し、図２（ｃ）はパレット１の側面図を示している。
【００４９】
パレット１は、５層構造を有している。パレット１に対してＸ、Ｙ、Ｚ直交座標系を定義する。
【００５０】
最下層の第１層は、互いに平行な３本の第１板材１１を備えている。第１板材はＸ方向に延びている。
【００５１】
第１層の上の第２層は、第１板材１１の上に設置され、第１板材１１に固着された柱材１０を備えている。柱材１０は、角柱形状をしており、第１板材１１の上に直立している。柱材１０には、Ｘ方向又はＹ方向を厚さ方向とする平板形状の支持金具１７が固着されている。
【００５２】
第２層の上の第３層は、柱材１０の上に互いに平行になるように設置され、柱材１０に固着された４本の第２板材１２を備えている。第２板材１２はＹ方向に延びている。
【００５３】
ここで、柱材１０は、第１板材１１及び第２板材１２の交差点に配置されており、その数は１２である。
【００５４】
第３層の上の第４層は、第２板材１２の上に設置され、第２板材１２に固着された９本の第３板材１３を備えている。第３板材１３はＸ方向に延びている。ここで、第３板材１３はスノコ状、すなわち一定間隔を有して平行に配列されている。パレット１のパレット上面１ａは、第３板材１３の上側の面である上面１３ａが集合して形成している長方形の面である。パレット上面１ａは、Ｚ方向を向いている。パレット１のパレット底面１ｂは、第３板材１３及び第２板材１２の下側面で形成されている。
【００５５】
最上層の第５層は、第３板材１３の上に設置され、第３板材１３に固着された２本の第１角柱部分１４及び２本の第２角柱部分１５を備えている。第１角柱部分１４及び第２角柱部分１５は、角柱であっても板材であっても良い。第１角柱部分１４は、パレット上面１ａの短辺に沿って延びており、その延びる方向はＹ方向である。第２角柱部分１５は、パレット上面１ａの長辺に沿って延びており、その延びる方向はＸ方向である。第１角柱部分１４及び第２角柱部分１５は、矩形枠形状の台１６を形成している。第１角柱部分１４の上面１４aと第２角柱部分１５の上面１５ａとは、台１６の上面を形成している。上面１４a及び上面１５ａは、Ｚ方向を向いており、太陽電池パネル８の枠構造８２を支持する。
【００５６】
後述する第１壁面板材２１及び第２壁面板材２２は、第２板材１２の上面１２ａに載置される。このとき、第１壁面板材２１及び第２壁面板材２２は、支持金具１７の第１位置決め面１７ｃと、第３板材１３の側面である第１位置決め面１３ｃ及び第２角柱部分１５の側面である第１位置決め面１５ｃとの間に挿入され、パレット１上に直立する壁を形成する。第１位置決め面１７ｃと第１位置決め面１３ｃ及び第１位置決め面１５ｃとは、挿入された第１壁面板材２１又は第２壁面板材２２の厚さ方向を向くように対向し、又は互いに反対側を向いている。
【００５７】
後述する第３壁面板材２３及び第４壁面板材２４は、柱材１０の上面１０ａに載置される。このとき、第３壁面板材２３及び第４壁面板材２４は、第１位置決め面１７ｂと、第２板材１２の側面である第１位置決め面１２ｂ、第３板材１３の端面である第１位置決め面１３ｂ、及び第１角柱部分１４の側面である第１位置決め面１４ｂとの間に挿入され、パレット１上に直立する壁を形成する。第１位置決め面１７ｂと、第１位置決め面１２ｂ、第１位置決め面１３ｂ、及び第１位置決め面１４ｂとは、挿入された第３壁面板材２３又は第４壁面板材２４の厚さ方向を向くように対向し、又は互いに反対方向を向いている。第３壁面板材２３及び第４壁面板材２４が上面１０ａに載置されるときは、第３壁面板材２３及び第４壁面板材２４は、パレット１の短辺の両端に位置する支持金具１７の第２位置決め面１７ａの間に挿入される。２つの第２位置決め面１７ａは、挿入された第３壁面板材２３又は第４壁面板材２４の幅方向を向くように対向し、または反対方向を向いている。ここで、第３壁面板材２３及び第４壁面板材２４の幅方向（Ｙ方向）とは、第３壁面板材２３及び第４壁面板材２４の高さ方向（後述する壁２の高さ方向）と第３壁面板材２３及び第４壁面板材２４の厚さ方向とに垂直な方向である。
【００５８】
パレット１としては、木製パレットが例示される。パレット１が木製パレットの場合は、柱材１０、第１板材１１、第２板材１２、第３板材１３、第１角柱部分１４、第２角柱部分１５は木材である。
【００５９】
なお、図２に示す柱材１０、第１板材１１、第２板材１２、第３板材１３、第１角柱部分１４、第２角柱部分１５、支持金具１７の数は例として示されたものであり、適宜変更することが可能である。
【００６０】
また、台１６は、完全な矩形枠形状をしていることが好ましいが、第１角柱部分１４、第２角柱部分１５、又はその両者の一部が欠けていても良い。
【００６１】
図３乃至図１２を用いて、本発明の実施形態に係る太陽電池モジュールの梱包方法について説明する。本方法においては、パレット１上に水平状態で積層した太陽電池パネル８の４周を４枚の板材で囲み、板材の上に天板を載せ、これを締め付けバンドで締め付けて梱包箱を形成する。
【００６２】
はじめに、作業現場の水平度を確認し、傾斜が許容値以下であればパレット１をパレット上面１ａが上を向くようにして作業現場に設置する（ステップＳ１）。図３は、梱包作業を行う作業現場に設置されたパレットを示している。
【００６３】
つぎに、図４に示すように、第４壁面板材２４及び段ボール板（図示せず）を、第１位置決め面１２ｂ、第１位置決め面１３ｂ、及び第１位置決め面１４ｂと、第１位置決め面１７ｂとの間であって、且つ、２つの第２位置決め面１７ａの間に挿入して上面１０ａ上に載置し、後壁面とする（ステップＳ２）。このとき、段ボール板を第４壁面板材２４の内側に配置する。ここで段ボールとは、慣用語であり、対向する２層の紙製板と２層の紙製板の間に挟まれる紙製波板とで形成されている梱包材料である。
【００６４】
ステップＳ２においては、第１位置決め面１２ｂ、第１位置決め面１３ｂ、第１位置決め面１４ｂ、第１位置決め面１７ｂ、第２位置決め面１７ａにより、第４壁面板材２４の位置決めが容易になる。
【００６５】
つぎに、図４に示すように、第１仮設板材６１及び第２仮設板材６２を、第１位置決め面１３ｃ及び第１位置決め面１５ｃと、第１位置決め面１７ｃとの間に挿入して上面１２ａの上に載置し、粘着テープ５７、固定具６３及び６４を用いて第１仮設板材６１、第２仮設板材６２及び第４壁面板材２４がコの字状の壁を形成するように固定する（ステップ３）。第１仮設板材６１、第２仮設板材６２、及び第４壁面板材２４は、太陽電池パネル８を積み重ねるときのガイドとして利用される。ここで、第１仮設板材６１及び第２仮設板材６２の幅は第１壁面板材２１及び第２壁面板材２２の幅よりも狭いから、太陽電池パネル８の積み込みと位置決めの両者が容易になる。ここで、第１仮設板材６１、第２仮設板材６２、第１壁面板材２１、及び第２壁面板材２２の幅方向、高さ方向、厚さ方向は、それぞれ、Ｘ方向、Ｚ方向、Ｙ方向に平行である
【００６６】
つぎに、図４に示すように、段ボール板５６を台１６の上面に載置する（ステップＳ４）。
【００６７】
つぎに、図５に示すように、複数の太陽電池パネル８を表面８１ａが上下方向を向いた状態で４辺が揃うようにパレット１上に積み重ねる（ステップＳ５）。なお、表面８１ａが下を向く状態で太陽電池パネル８を積み重ねることがより好ましい。ステップＳ５においては、最下段の太陽電池パネル８を、枠構造８２が台１６の上になるように段ボール板５６の上に載置する。次に段ボール板５６を最下段の太陽電池パネル８の上に載せる。太陽電池パネル８と段ボール板５６とを交互に所定の枚数だけ積み重ねる。最上段の太陽電池パネル８の上に段ボール板５６を載せてステップＳ５を終了する。ステップＳ５においては、段ボール板５６の代わりに合紙を太陽電池パネル８の間に挟んでも良い。なお、最上段の太陽電池パネル８（又はその上に載せられた段ボール板５６）の高さは、後述する壁２の上端よりも低いことが好ましい。壁２の上に載せる上面板材３（後述）との間に空間を設けるためである。
【００６８】
つぎに、第１仮設板材６１、第２仮設板材６２、固定具６３、固定具６４をパレット１から取り除く（ステップＳ６）図６は、第１仮設板材６１、第２仮設板材６２、固定具６３、固定具６４をパレット１から取り除いた状態を示している。
【００６９】
つぎに、図７に示すように、第１壁面板材２１及び段ボール板（図示せず）と第２壁面板材２２及び段ボール板（図示せず）とを、第１位置決め面１３ｃ及び第１位置決め面１５ｃと、第１位置決め面１７ｃとの間に挿入し、上面１２ａの上に載置して左右の壁面とし、第３壁面板材２３及び段ボール板（図示せず）を、第１位置決め面１２ｂ、第１位置決め面１３ｂ、及び第１位置決め面１４ｂと、第１位置決め面１７ｂとの間であって、且つ、２つの第２位置決め面１７ａの間に挿入して上面１０ａ上に載置して前壁面として四角筒状の壁２を形成し、壁２の上端付近にゴムベルト６５を水平に巻き付けて第１壁面板材２１、第２壁面板材２２、第３壁面板材２３、及び第４壁面板材２４を仮固定する（ステップＳ７）。このとき、段ボール板を第１壁面板材２１、第２壁面板材２２、第３壁面板材２３の内側に配置する。ステップＳ７においては、第１壁面板材２１及び第２壁面板材２２が互いに対向し、第３壁面板材２３及び第４壁面板材２４が第１壁面板材２１及び第２壁面板材２２を間に挟んで互いに対向するように第１壁面板材２１、第２壁面板材２２、第３壁面板材２３、及び第４壁面板材２４をパレット１上に載置する。したがって、第１壁面板材２１及び第２壁面板材２２と、第３壁面板材２３及び第４壁面板材２４との取り合い部分は、図１３に示すように、第１壁面板材２１及び第２壁面板材２２の幅方向（Ｘ方向）を向く端面Ａが第３壁面板材２３及び第４壁面板材２４の内側面Ｂと対向する配置となる。ここで、第３壁面板材２３の内側面Ｂと第４壁面板材２４の内側面Ｂとは互いに対向する面である。
【００７０】
ここで、第１壁面板材２１及び第２壁面板材２２は積層した太陽電池パネル８の長辺側側面８２ｄを覆っており、第３壁面板材２３及び第４壁面板材２４は積層した太陽電池パネル８の短辺側側面８２ｃを覆っている。第１壁面板材２１、第２壁面板材２２、第３壁面板材２３、及び第４壁面板材２４には、合板が好適に用いられる。
【００７１】
つぎに、図８に示すように、３本の第１締め付けバンド５１を壁２の周囲に水平に巻き付け、中段、下段、上段の順序でしっかりと締め付け、第１締め付けバンド５１の締め付けの後にゴムベルト６５を取り除く（ステップＳ８）。ここで、第１締め付けバンド５１は、第１壁面板材２１、第２壁面板材２２、第３壁面板材２３、第４壁面板材２４のそれぞれに沿う水平部分を備えている。
【００７２】
つぎに、図９に示すように、壁２の上側開口部を覆うように上面板材３を壁２の上に載置して梱包箱の天板を形成する（ステップＳ９）。このとき、図１４に示すように、上面板材３の周縁部の四周全てが第１壁面板材２１、第２壁面板材２２、第３壁面板材２３、及び第４壁面板材２４の上端面Ｃに載るように位置決めすることは重要である。なお、図示は省略しているが、位置決めの確認後、第１壁面板材２１、第２壁面板材２２、第３壁面板材２３、及び第４壁面板材２４と上面板材３とを粘着テープで仮止めしておくと後の作業がしやすくなる。上面板材３には、合板が好適に用いられる。
【００７３】
つぎに、図１０に示すように、３本の第２締め付けバンド５２を、第１壁面板材２１と、上面板材３と、第２壁面板材２２と、パレット１のパレット底面１ｂ側に巻き付けて中央、第３壁面板材２３側、第４壁面板材２４側の順序でしっかりと締め付け、２本の第３締め付けバンド５３を、第３壁面板材２３と、上面板材３と、第４壁面板材２４と、パレット１のパレット底面１ｂ側に巻き付けて第１壁面板材２１側、第２壁面板材２２側の順序でしっかりと締め付ける（ステップＳ１０）。ここで、第２締め付けバンド５２は、上面板材３及びパレット底面１ｂに沿う上下部分と、第１壁面板材２１及び第２壁面板材２２に沿う鉛直部分とを有し、第３締め付けバンド５３は、上面板材３及びパレット底面１ｂに沿う上下部分と、第２壁面板材２２及び第４壁面板材２４に沿う鉛直部分とを有する。
【００７４】
ステップＳ８、ステップＳ１０において使用される第１締め付けバンド５１、第２締め付けバンド５２、及び第３締め付けバンド５３は、１周の長さが可変であり張力調整自在であるための締付け器（バックル）をそれ自体に備えているポリエステルバンドであることが望ましい。なお、第１締め付けバンド５１、第２締め付けバンド５２、及び第３締め付けバンド５３の本数は、適宜変更することが可能である。
【００７５】
ステップＳ１０の後に、梱包の垂直度、第１壁面板材２１、第２壁面板材２２、第３壁面板材２３、及び第４壁面板材２４のふくらみ、第１締め付けバンド５１、第２締め付けバンド５２、及び第３締め付けバンド５３の張力、上面板材３の四周が第１壁面板材２１、第２壁面板材２２、第３壁面板材２３、及び第４壁面板材２４の上端面Ｃに載っていること等の確認をする（ステップＳ１１）。
【００７６】
つぎに、図１０に示すように、上面板材３の第４壁面板材２４側コーナー部分の第１壁面板材２１、第２壁面板材２２、第４壁面板材２４との取合部を粘着テープ５７で接着する（ステップＳ１２）。
【００７７】
つぎに、図１１に示すように、壁２の表面に表示シート５５を貼り付ける（ステップＳ１３）。
【００７８】
つぎに、図１１に示すように、上面板材３及び壁２を覆うようにカバー４を被せ、カバー４のすそ部分をカバー固定バンド５４で固定する（ステップＳ１４）。ここで、カバー４としては透明で水を通さないビニールカバーが好適に用いられる。カバー固定バンド５４は、カバー４の上から壁２の周囲に水平方向に巻き付いて締め付ける。カバー固定バンド５４は、１周の長さが可変であり張力調整自在であるための締付け器（バックル）をそれ自体に備えているポリプロピレンバンドであることが望ましい。
【００７９】
太陽電池パネルの梱包箱にカバー４を取り付ければ、梱包箱を屋外に一時保管する場合等に雨水が梱包箱の内側に浸入することが防がれる。
【００８０】
つぎに、図１２を参照してステップＳ１４について詳細に説明する。
【００８１】
ステップＳ１４においては、はじめに、上面板材３及び壁２を覆うようにカバー４を被せる（ステップＳ１４の１）。図１２（ａ）は、カバー４を被せた状態を示している。カバー４は、その表面から内側へ陥入する袋状部分４１及び袋状部分４２を有している。ステップＳ１４の１においては、袋状部分４１及び袋状部分４２が上面板材３の上に載るようにカバー４を被せる。このとき、袋状部分４１の陥入口４１ｂが上面板材３と第３壁面板材２３とによって形成される第１稜線２５に沿い、袋状部分４２の陥入口４２ｂが上面板材３と第４壁面板材２４とによって形成される第２稜線２６に沿う。
【００８２】
つぎに、図１２（ｂ）に示すように、カバー４の角（陥入口４１ｂ及び陥入口４２ｂの上側中央部分）を図中の矢印で示すように持ち上げ、カッターナイフ６７等の刃物を用いて袋状部分４１及び袋状部分４２の先端近傍にカバー４内側の湿分を排出するための通気穴４１ａ及び通気穴４２ａをそれぞれ開口する（ステップＳ１４の２）。
【００８３】
ここで、通気穴４１ａ及び通気穴４２ａがカバー４の内側へ陥入した袋状部分４１及び袋状部分４２に開口されるため、雨水等が通気穴４１ａ及び通気穴４２ａからカバー４の内側に浸入することが防がれる。また、袋状部分４１及び袋状部分４２が上面板材３の上側に配置され、陥入口４１ｂ及び陥入口４２ｂが上面板材３の対向する辺（第１稜線２５及び第２稜線２６）に沿って配置されるため、カバー４の内側の湿分が効率的に排出される。
【００８４】
つぎに、図１２（ｃ）に示すように、陥入口４１ｂ及び陥入口４２ｂの両端部分を除く中央部分を粘着テープ５７で閉じる（ステップＳ１４の３）。このため、カバー４が風によりばたつくことが防がれる。
【００８５】
本実施の形態においては、太陽電池パネル８を水平に積み重ねているため、無駄な空間が無くなって単位容積当りに収容可能な太陽電池パネル８の枚数が増加し、太陽電池パネル８の枚数を変更しても第１壁面板材２１と第２壁面板材２２の間隔と、第３壁面板材２３と第４壁面板材２４との間隔を変更する必要がない。積層した太陽電池パネル８の周囲４面を４枚の板材で囲むことにより、太陽電池パネル８の横ずれが効果的に防がれる。
【００８６】
第１締め付けバンド５１、第２締め付けバンド５２を締め付けることにより、第１壁面板材２１及び第２壁面板材２２が太陽電池パネル８の長辺側の側面である長辺側側面８２ｄを太陽電池パネル８の両側から保持する。ここで、第１壁面板材２１及び第２壁面板材２２が太陽電池パネル８の長辺側の側面を保持する場合は、短辺側の側面を保持する場合に比べて太陽電池パネル８を確実に保持することができる。さらに、第１締め付けバンド５１、第２締め付けバンド５２を締め付けることにより第１壁面板材２１及び第２壁面板材２２が太陽電池パネル８に及ぼす力は太陽電池パネル８の短辺方向に作用するから、この力が太陽電池パネル８の長辺方向に作用する場合に比べて太陽電池パネル８の撓み変形が防がれる。また、第３壁面板材２３及び第４壁面板材２４はその間に第１壁面板材２１及び第２壁面板材２２を挟んでいる。したがって、第１壁面板材２１及び第２壁面板材２２の幅が太陽電池パネル８の長辺の長さよりも大きい場合は、第１締め付けバンド５１及び第３締め付けバンド５３を締め付けた場合であっても、第３壁面板材２３及び第４壁面板材２４が太陽電池パネル８を撓み変形させる力を太陽電池パネル８の長辺方向に及ぼすことが防がれる。
【００８７】
図１１に示す太陽電池パネルの梱包箱をトラック又はコンテナに積み込む際は、フォークリフトのフォーク６８を図の矢印に示す方向（Ｘ方向）にパレット底面１ｂの下側に差し込んでパレット１を持ち上げる。このとき、フォーク６８の先端が最も奥の第２板材１２に届かない場合には、フォーク６８の先端が第３板材１３を上方に突き上げる。パレット１においては、台１６により太陽電池パネル本体８１と第３板材１３との間に十分な空間が確保されるため、フォーク６８の先端に突き上げられた第３板材１３が太陽電池パネル本体８１を傷つけることが防がれている。
【００８８】
なお、フォーク６８でパレット底面１ｂを突き上げないように十分注意すれば、パレット１に台１６を設けずに太陽電池パネル８をパレット上面１ａに載置しても良い。
【００８９】
また、図１１に示す太陽電池パネルの梱包箱は、上下２段に積み重ねることが可能である。ここで、上面板材３は壁２によって支持されているから、上段の梱包箱の重量が下段の梱包箱内の太陽電池パネル８に作用することが防がれる。また、上面板材３と最上段の太陽電池パネル８（又はその上に載る段ボール板５６）との間に空間を確保することで、荷重により撓み変形した上面板材３が太陽電池パネル８を傷つけることが防がれる。梱包箱を上下２段に積み重ねることにより輸送及び保管のための面積が低減する。
【００９０】
さらに、図１１に示す太陽電池パネルの梱包箱においては、その外形寸法が積層した太陽電池パネルの寸法よりわずかに大きいだけであるから、規格コンテナへの積みこみに有利である。梱包箱の外形寸法の僅かな違いによって規格コンテナに梱包箱を一つ多く積みこめるか否かが分かれるから、梱包箱の外形寸法は少しでも小さいほうが良い。
【００９１】
なお、本実施形態に係る太陽電池パネルの梱包箱を対象としてＪＩＳＺ０２００に準拠する垂直衝撃試験、水平衝撃試験、振動試験を行ったところ、試験後の太陽電池パネル８が製品の完成検査の判定基準を満足することが確認されている。
【図面の簡単な説明】
【００９２】
【図１】図１は、太陽電池パネルを示し、図１（ａ）は太陽電池パネルの表側について示し、図１（ｂ）は太陽電池パネルの裏側について示す。
【図２】図２は、パレットについて示し、図２（ａ）はパレットの上面図、図２（ｂ）はパレットの前面図、図２（ｃ）はパレットの側面図である。
【図３】図３は、本発明の実施形態に係る太陽電池パネルの梱包方法について説明するための第１の図である。
【図４】図４は、本発明の実施形態に係る太陽電池パネルの梱包方法について説明するための第２の図である。
【図５】図５は、本発明の実施形態に係る太陽電池パネルの梱包方法について説明するための第３の図である。
【図６】図６は、本発明の実施形態に係る太陽電池パネルの梱包方法について説明するための第４の図である。
【図７】図７は、本発明の実施形態に係る太陽電池パネルの梱包方法について説明するための第５の図である。
【図８】図８は、本発明の実施形態に係る太陽電池パネルの梱包方法について説明するための第６の図である。
【図９】図９は、本発明の実施形態に係る太陽電池パネルの梱包方法について説明するための第７の図である。
【図１０】図１０は、本発明の実施形態に係る太陽電池パネルの梱包方法について説明するための第８の図である。
【図１１】図１１は、本発明の実施形態に係る太陽電池パネルの梱包方法について説明するための第９の図である。
【図１２】図１２は、カバーに通気穴を開口する方法について説明するための図である。
【図１３】図１３は、第１壁面板材及び第２壁面板材と、第３壁面板材及び第４壁面板材との取合い部分を示す断面図である。
【図１４】図１４は、第１壁面板材、第２壁面板材、第３壁面板材、及び第４壁面板材との取合い部分を示す断面図である。
【符号の説明】
【００９３】
１…パレット
１ａ…パレット上面
１ｂ…パレット底面
１０…柱材
１０ａ…上面
１１…第１板材
１２…第２板材
１２ａ…上面
１２ｂ…第１位置決め面
１３…第３板材
１３ａ…上面
１３ｂ、１３ｃ…第１位置決め面
１４…第１角柱部分（第１板材部分）
１４ａ…上面
１４ｂ…第１位置決め面
１５…第２角柱部分（第２板材部分）
１５ａ…上面
１５ｃ…第１位置決め面
１６…台
１７…支持金具
１７ａ…第２位置決め面
１７ｂ、１７ｃ…第１位置決め面
２…壁
２１…第１壁面板材
２２…第２壁面板材
２３…第３壁面板材
２４…第４壁面板材
２５…第１稜線
２６…第２稜線
３…上面板材
４…カバー
４１、４２…袋状部分
４１ａ、４２ａ…通気穴
４１ｂ、４２ｂ…陥入口
５１…第１締め付けバンド
５２…第２締め付けバンド
５３…第３締め付けバンド
５４…カバー固定バンド
５５…表示シート
５６…段ボール板
５７…粘着テープ
６１…第１仮設板材
６２…第２仮設板材
６３、６４…固定具
６５…ゴムベルト
６７…カッターナイフ
６８…フォーク
８…太陽電池パネル
８１…太陽電池パネル本体
８１ａ…表面（受光面）
８１ｂ…裏面
８２…枠構造
８２ａ…表側面
８２ｂ…裏側面
８２ｃ…短辺側側面
８２ｄ…長辺側側面
８３…端子箱
Ａ…端面
Ｂ…内側面
Ｃ…上端面
【図１】
0004745859.tif 000002
【図２】
0004745859.tif 000003
【図３】
0004745859.tif 000004
【図４】
0004745859.tif 000005
【図５】
0004745859.tif 000006
【図６】
0004745859.tif 000007
【図７】
0004745859.tif 000008
【図８】
0004745859.tif 000009
【図９】
0004745859.tif 000010
【図１０】
0004745859.tif 000011
【図１１】
0004745859.tif 000012
【図１２】
0004745859.tif 000013
【図１３】
0004745859.tif 000014
【図１４】
0004745859.tif 000015